(57)【要約】      （修正有）【課題】ショベルの刃先部分を土砂の中に圧入する際に、足踏部の大きさ・形状を工夫することにより、特に靴底に泥土が付着している場合に、踏み込み易く、踏み外すことが少なく的確にショベルの刃先部分を土砂の中に圧入できる足踏部を備え、安価に製造できるショベルを提供する。【解決手段】ブレードと、該ブレードの後端部中央に連結される握柄杆と、前記ブレードの後端部から前記ブレードに対して立ち上がり状に延びる足踏部１５，１５とを備え、前記足踏部１５，１５は踏面１５ａ，１５ａを前記立ち上がり方向に向けて幅広に形成した。【選択図】図３
0003144227.tif 000002
【実用新案登録請求の範囲】
【請求項１】
ブレードと、該ブレードの後端部中央に連結される握柄杆と、前記ブレードの後端部から前記ブレードに対して立ち上がり状に延びる足踏部とを備え、
前記足踏部は踏面を前記立ち上がり方向に向けて幅広に形成してなることを特徴とするショベル。
【請求項２】
前記足踏部は、前記踏面を前記立ち上がり方向に向けて１８ｍｍ乃至２８ｍｍの幅長に形成してなることを特徴とする請求項１に記載のショベル。
【請求項３】
前記足踏部は、前記踏面を前記ブレードの後端部に沿って外方に幅広となる略台形状にて形成されてなることを特徴とする請求項１又は２に記載のショベル。
【請求項４】
前記足踏部は、前記握柄杆の連結部に向けて傾斜して形成されてなることを特徴とする請求項１乃至３の何れかに記載のショベル。
【請求項５】
前記ブレードの側縁部には、波状に形成した根切部を設けたことを特徴とする請求項１乃至４の何れかに記載のショベル。
【考案の詳細な説明】
【技術分野】
【０００１】
本考案は、ブレードの後端部に足踏部を備えてなるショベルに関する。
【背景技術】
【０００２】
従来、この種のショベルは、把持部を有する握柄杆の先端に、薄い鋼板から形成されるブレードを結合し、該ブレードで土や砂等を掘り起こしたり、また、掘り起こした土砂などを掬い上げて移動させたりするようにしている。
【０００３】
前記ショベルによる土砂掘削の方法としては、例えば、片手で把持部をもち、もう一方の手で柄をもって、掘削しようとする土砂や地面の上に立ててショベルの足踏部を片足で強く踏み込み、その力で前記ショベルの刃先部分を土砂の中に圧入するようにして掘削している。
【０００４】
しかしながら、従来の足踏部は、前記ブレードの後端部を約７ｍｍ乃至１０ｍｍ程度、掬い面側にＬ字状に折り曲げているだけなので、足裏に痛みを生じることになり、また、前記足踏部だけでは、踏面の面積が非常に小さいため、踏力をショベルに十分に伝えることができなかった。
【０００５】
特に、近年、食の安全性や自給率問題から菜園生活を始める中高年齢層が多くなっており、日頃使い慣れない土農工具を使用する場合が増えているため、少ない踏力で、足を踏み外すことのないように、的確に刃先部分を土砂の中に圧入できるショベルが求められている。
【０００６】
これらの問題を解消すべく、例えば、実開平１−１７４４４６号（特許文献１）に記載のショベルが考案されている。この丸形ショベルは、薄い鋼板から成るブレードと、該ブレードの後端部中央に結合される握柄杆とから構成されるものであって、前記ブレードの後端部を幅１ｃｍ程度内側に略Ｌ字状に折曲して足踏部を形成し、該足踏部の端縁には折返し形状のゴム片を挟持させるようにしている。
【０００７】
【特許文献１】実開平１−１７４４４６号公報
【考案の開示】
【考案が解決しようとする課題】
【０００８】
しかしながら、前記ショベルは、前記足踏部にゴム片を挟着しているだけであるので、踏力に対して離脱し易く、また、ゴム片は経時劣化し易く、屋外に放置しておくと、ゴム片の劣化は一層早くなる。さらに通常のショベルに対して、別途ゴム片が必要となるため、製造コストもかかることとなる。
【０００９】
本考案は、かかる事情に鑑みてなされたものであって、ショベルの刃先部分を土砂の中に圧入する際に、足踏部の大きさ・形状を工夫することにより、特に靴底に泥土が付着している場合に、踏み込み易く、踏み外すことが少なく、的確に刃先部分を土砂の中に圧入できる足踏部を備えると共に、安価に製造できるショベルを提供することを目的とする。
【００１０】
また、本考案の他の目的は、前記ショベルにおいて、土中に残根等があっても、圧入しやすいショベルを提供することにある。
【課題を解決するための手段】
【００１１】
請求項１に記載のショベルは、ブレードと、該ブレードの後端部中央に連結される握柄杆と、前記ブレードの後端部から前記ブレードに対して立ち上がり状に延びる足踏部とを備え、前記足踏部は踏面を前記立ち上がり方向に向けて幅広に形成してなることを特徴とする。
【００１２】
請求項１に記載のショベルにあっては、前記足踏部は踏面を前記立ち上がり方向に向けて幅広に形成しているので、踏み込み易く、踏み外すことが少なく的確にショベルの刃先部分を土砂の中に圧入できるとともに、前記足踏部は前記ブレードの後端部から前記ブレードに対して立ち上がり状に延びるように形成しているので、特に他の部材を必要とすることなく、前記ブレードの後端部を折曲して形成でき、製造コストも安価なものとなる。
【００１３】
請求項２に記載のショベルは、請求項１に記載のショベルにおいて、前記足踏部は、前記踏面を前記立ち上がり方向に向けて１８ｍｍ乃至２８ｍｍの幅長に形成してなることを特徴とする。
【００１４】
請求項２に記載のショベルにあっては、前記足踏部の踏面の幅長を、一般的な成人の足底面の大きさに合わせて形成しているので、好適に前記ショベルを踏み込むことができ、踏み外すことが少なく、的確に刃先部分を土砂の中に圧入できる。
【００１５】
請求項３に記載のショベルは、請求項１又は２に記載のショベルにおいて、前記足踏部は、前記踏面を前記ブレードの後端部に沿って外方に幅広となる略台形状にて形成されてなることを特徴とする。
【００１６】
請求項３に記載のショベルにあっては、前記足踏部の踏面に足を載置し踏み込む場合に、踏面が前記足踏部の長さ方向外側にゆくにつれて幅長が長く形成されるので、足をショベルの外側に踏み外すことが少なく、さらに、踏み込み力が、前記ブレードの先端に向けて好適に伝わることとなる。
【００１７】
請求項４に記載のショベルは、請求項１乃至３の何れかに記載のショベルにおいて、前記足踏部は、前記握柄杆の連結部に向けて傾斜して形成されてなることを特徴とする。
【００１８】
請求項４に記載のショベルにあっては、前記足踏部の踏面に足を載置し踏み込む場合に、踏力が前記握柄杆の中央軸方向に向けてかかるため、足をショベルの外側に踏み外すことが少なく、さらに、踏み込み力が、前記ブレードの先端に向けて好適に伝わることとなる。
【００１９】
請求項５に記載のショベルは、請求項１乃至４の何れかに記載のショベルにおいて、前記ブレードの側縁部に、波状に形成した根切部を設けたことを特徴とする。
【００２０】
請求項５に記載のショベルにあっては、前記ショベルのブレードを土中に圧入する際、土中に残根等があっても、前記根切部で土中の残根を切り進んで行くので、ショベルを圧入しやすくなる。
【考案の効果】
【００２１】
請求項１に記載の考案によれば、前記足踏部は踏面を前記立ち上がり方向に向けて幅広に形成しているので、踏み込み易く、踏み外すことが少なく的確にショベルの刃先部分を土砂の中に圧入できるとともに、前記足踏部は前記ブレードの後端部から前記ブレードに対して立ち上がり状に延びるように形成しているので、特に他の部材を必要とすることなく、前記ブレードの後端部を折曲して形成でき、製造コストも安価なものとなる。
【００２２】
請求項２に記載の考案によれば、請求項１に記載のショベルに加えて、前記足踏部の踏面の幅長を、一般的な成人の足底面の大きさに符合するように、前記踏面を１８ｍｍ乃至２８ｍｍの幅長に合わせて形成しているので、好適に前記ショベルを踏み込むことができ、踏み外すことが少なく、的確に刃先部分を土砂の中に圧入できる。
【００２３】
請求項３に記載の考案によれば、請求項１又は２に記載のショベルに加えて、前記足踏部は、前記踏面を前記ブレードの後端部に沿って外方に幅広となる略台形状にて形成しているので、前記足踏部の踏面に足を載置し踏み込む場合に、踏面が前記足踏部の長さ方向外側にゆくにつれて幅長が長く形成されるため、足をショベルの外側に踏み外すことが少なく、さらに、踏み込み力が、前記ブレードの先端に向けて好適に伝わることとなる。
【００２４】
請求項４に記載の考案によれば、請求項１乃至３の何れかに記載のショベルに加えて、前記足踏部は、前記握柄杆の連結部に向けて傾斜して形成しているので、前記足踏部の踏面に足を載置し踏み込む場合に、踏力が前記握柄杆の中央軸方向に向けてかかるため、足をショベルの外側に踏み外すことが少なく、さらに、踏み込み力が、前記ブレードの先端に向けて好適に伝わることとなる。
【００２５】
請求項５に記載の考案によれば、請求項１乃至４の何れかに記載のショベルに加えて、前記ブレードの側縁部に、波状に形成した根切部を設けているので、前記ショベルのブレードを土中に圧入する際、土中に残根等があっても、前記根切部で土中の残根を切り進んで行くので、ショベルを圧入しやすくなる。
【考案を実施するための最良の形態】
【００２６】
以下、本考案を実施するための最良の形態を、図面に基づいて具体的に説明する。
【００２７】
図１（ａ）は本実施の形態に係るショベルを示す正面図であり、同図（ｂ）は側面図である。図２はブレード部の拡大正面図であり、図３はブレード部の斜視図である。
【００２８】
図１乃至図３において、１０は丸形ショベル（以下「ショベル」という。）であり、該ショベル１０は、薄い鋼板から形成されるブレード１１と、該ブレード１１の後端部中央部に連結される握柄杆１２とから構成されている。
【００２９】
前記ブレード１１は、先端部を先鋭状に湾曲させた湾曲先鋭部１３と該先鋭部１３の幅方向両側から後方に延びる両側縁部１４，１４と、この各側縁部１４，１４の後端から略直交方向に立ち上がって延びる足踏部１５，１５とで、概略ハート形状に形成して、その全体を中央部が凹状となるように湾曲させて、土砂等の掬い部１６を設けると共に、該掬い部１６の中央部から後方に向けて筒部１７を一体状に突設させている。
【００３０】
そして、前記握柄杆１２は、軸方向後端部に把持部１８を取り付けて、その長さ方向先端を前記ブレード１１の筒部１７内に挿入し溶着している。さらに、前記握柄杆１２の下半身には、数本の溝状の滑り止め部１９を凹設している。
【００３１】
以上の構成からなる丸形ショベルにおいて、前記足踏部１５，１５の踏面１５ａ，１５ａの幅を通常のショベルの２〜３倍程度の大きさに形成すると共に、前記足踏部１５，１５の長さ方向外側から内側（前記握柄杆１２の連結部側）に向けて下方に傾斜させて形成しており、さらに、前記前記足踏部１５，１５の踏面１５ａ，１５ａの形状を略台形状に形成している。
【００３２】
具体的には、前記足踏部１５，１５の踏面１５ａ，１５ａの幅を約１８ｍｍ乃至２８ｍｍ程度の幅長としている。前記幅長１５ｂは、図４に示す一般的な成人の足底面２０の骨格構造に基づくものである。すなわち、一般的に前記ショベル１０の足踏部１５，１５を踏み込むときは、図４に示す楔状骨２１及び立方骨２２と中足骨２３との接合部近傍の踏込面Ｓで踏み込む場合が多く、特に、底の柔らかい長靴や運動靴を着用している場合は、踏力の伝達し易い前記踏込面Ｓで踏み込むのであるが、前記踏込面Ｓは、足底面２０の全長Ｌを１とした場合に、その幅長Ｍは約０，０９５である。したがって、一般的な成人（特に中高年齢の男女）の前記足底面２０の全長Ｌを１９ｃｍ乃至２９ｃｍとすると、前記踏込面Ｓの幅長Ｍは、約１８ｍｍ乃至２８ｍｍ程度となり、これに符合させるように、前記足踏部１５，１５の踏面１５ａの幅長１５ｂを約１８ｍｍ乃至２８ｍｍとして形成したのである。
【００３３】
また、前記足踏部１５，１５は、長さ方向外側から内側（前記握柄杆１２の連結部側）に向けて下方に５度乃至１０度程度の範囲で傾斜させると好適なものとなる。本実施態様では、図２に示すように、前記傾斜角Ｋは７度に設定している。さらに、前記足踏部１５，１５の踏面１５ａ，１５ａの形状を、長さ方向内側から外側に向けて長寸となる略台形状に形成している。
【００３４】
また、前記両側縁部１４，１４の側縁端に、波状にプレス形成された根切部１４ａ，１４ａを設けている。
【００３５】
本考案は、以上のように構成しているので、図５に示すように、前記ショベル１０を土中に圧入する際は、前記足踏部１５，１５を踏み込み易く、踏み外すことが少なく的確に前記１０ショベルの刃先部分１３を土砂の中に圧入できるとともに、一方において、前記足踏部１５，１５は、特に他の部材を必要とすることなく、前記ブレード１１の後端部を折曲して形成できるので製造コストも安価なものとなる。
【００３６】
また、前記足踏部１５，１５の踏面１５ａ，１５ａの幅長１５ｂを、一般的な成人の足底面２０の大きさに符合するように、前記踏面を１８ｍｍ乃至２８ｍｍの幅長に合わせて形成しているので、好適に前記ショベル１０を踏み込むことができる。
【００３７】
また、前記足踏部１５，１５は、前記踏面１５ａ，１５ａを前記握柄杆１２の連結部から前記ブレード１１の後端部外方に向けて（長さ方向外方に向けて）幅広となる略台形状にて形成しているので、前記足踏部１５，１５の踏面１５ａ，１５ａに足を載置し踏み込む場合に、前記踏面１５ａ，１５ａが前記足踏部１５，１５の長さ方向外方にゆくにつれて幅長が長く形成されるため、足をショベルの外側に踏み外すことが少なく、さらに、踏み込み力が前記ブレード１１の先端に向けて好適に伝わることとなる。
【００３８】
また、前記足踏部１５，１５は、前記握柄杆１２の連結部に向けて傾斜して形成しているので、前記足踏部１５，１５の踏面１５ａ，１５ａに足を載置し踏み込む場合に、踏力が前記握柄杆１２の中央軸方向に向けてかかるため、足をショベルの外側に踏み外すことが少なく、さらに、踏み込み力が前記ブレードの先端に向けて好適に伝わることとなる。
【００３９】
また、前記ブレード１１の側縁部１４，１４に、波状に形成した根切部１４ａ，１４ａを設けているので、前記ショベル１０のブレード１１を土中に圧入する際、土中に残根等があっても、前記根切部で土中の残根を切り進んで行くので、前記ショベル１０を圧入しやすくなる。
【００４０】
なお、本実施態様においては、前記足踏部１５，１５を、立ち上がり方向に向けて幅広に形成すると共に、その形状を略台形状に形成し、かつ、前記握柄杆１２方向に向けて、下方に傾斜させるように構成したが、前記足踏部１５，１５を幅広に形成するだけでもよく、また、前記足踏部１５，１５を幅広に形成して、その形状を略台形状に形成するようにしても良く、さらに、前記足踏部１５，１５を幅広に形成して、前記握柄杆１２方向に向けて、下方に傾斜させるように構成しても良い。
【図面の簡単な説明】
【００４１】
【図１】（ａ）は本実施の形態に係るショベルの一例を示す正面図であり、（ｂ）は同側面図である。
【図２】ブレード部の拡大正面図である。
【図３】ブレード部の拡大正面図である。
【図４】一般的な成人の足底面の骨格構造である。
【図５】使用状態を示す図である。
【符号の説明】
【００４２】
１０      丸形ショベル
１１      ブレード
１２      握柄杆
１３      湾曲先鋭部
１４      両側縁部
１４ａ    根切部
１５      足踏部
１５ａ    踏面
１５ｂ    （踏面の）幅長
１６      掬い部
１７      筒部
１８      把持部
１９      滑り止め部
２０      足底面
２１      楔状骨
２２      立方骨
２３      中足骨
Ｋ        傾斜角
Ｌ        足底面の全長
Ｓ        踏込面
Ｍ        踏込面の幅長
【図１】
0003144227.tif 000003
【図２】
0003144227.tif 000004
【図３】
0003144227.tif 000005
【図４】
0003144227.tif 000006
【図５】
0003144227.tif 000007